(57)【要約】【課題】騒音の主因たるモータの固有振動数と電磁周波数の整数倍の一致を簡単に防ぎ、騒音を抑えることができるブラシレス鋼板モータを提供する。【解決手段】ステータコア１５にコイル１８を巻回したステータ１４を鋼板製のフレーム１２内部に収納したブラシレス鋼板モータ１０において、コイル１８に弾力性のある接着剤４２を塗布したものである。【選択図】      図３
2005218291.tif 000002
【特許請求の範囲】
【請求項１】
ステータコアにコイルを巻回したステータを鋼板製のフレーム内部に収納したブラシレス鋼板モータにおいて、
前記コイルに弾力性のある接着剤を塗布した
ことを特徴とするブラシレス鋼板モータ。
【請求項２】
前記ステータコアの全周に前記接着剤を塗布した
ことを特徴とする請求項１記載のブラシレス鋼板モータ。
【請求項３】
前記接着剤が、シリコンゴムである
ことを特徴とする請求項１または２記載のブラシレス鋼板モータ。
【発明の詳細な説明】
【技術分野】
【０００１】
本発明は、ブラシレス鋼板モータに関するものである。
【背景技術】
【０００２】
ブラシレス鋼板モータは、ステータコアを絶縁し、コイルを巻いたステータを、鋼板製のフレームに収納している（特許文献１）。
【特許文献１】特開平５−６８３９５号公報
【発明の開示】
【発明が解決しようとする課題】
【０００３】
上記のようなブラシレス鋼板モータにおいては、モータを回転させると、ステータコアの電磁振動が鋼板製のフレームに直接伝わり、モータの共振周波数と電磁振動の周波数が整数倍となって一致した時に、モータの騒音が大きくなるという問題点がある。
【０００４】
この騒音の主因たるモータの固有振動数と電磁周波数の整数倍の一致を防ぐ方法としては、従来よりモータの構造を複雑にしたり、固有振動数をずらすなどの特別な防振構造を必要とし、モータの汎用性が低くなるか、コストアップに繋がるという問題点がある。
【０００５】
そこで、本発明は上記問題点に鑑み、騒音の主因たるモータの固有振動数と電磁周波数の整数倍の一致を簡単に防ぎ、騒音を抑えることができるブラシレス鋼板モータを提供するものである。
【課題を解決するための手段】
【０００６】
請求項１に係る発明は、ステータコアにコイルを巻回したステータを鋼板製のフレーム内部に収納したブラシレス鋼板モータにおいて、前記コイルに弾力性のある接着剤を塗布したことを特徴とするブラシレス鋼板モータである。
【０００７】
請求項２に係る発明は、前記ステータコアの全周に前記接着剤を塗布したことを特徴とする請求項１記載のブラシレス鋼板モータである。
【０００８】
請求項３に係る発明は、前記接着剤が、シリコンゴムであることを特徴とする請求項１または２記載のブラシレス鋼板モータである。
【発明の効果】
【０００９】
請求項１に係る発明のブラシレス鋼板モータであると、コイルに弾力性のある接着剤を塗布することにより、ステータコアの電磁振動による共振状態を防ぐことができ、また、制振効果を出すことができる。また、この場合に接着剤をコイルに塗布するだけであるため、コストも低く抑えることができる。
【００１０】
請求項２に係る発明のブラシレス鋼板モータであると、ステータコアの全周に接着剤を塗布することにより、より確実に共振状態を防止することができる。
【００１１】
請求項３に係る発明のブラシレス鋼板モータであると、接着剤がシリコンゴムであるため、コストを低く抑えることができ、弾力性があってより確実に共振状態を防止することができる。
【発明を実施するための最良の形態】
【００１２】
以下、本発明の一実施形態のブラシレス鋼板モータ（以下、単にモータという）１０について、図１から図３に基づいて説明する。
【００１３】
（１）モータ１０の構造
図１に基づいて、モータ１０の構造について説明する。図１は、モータ１０の縦断面図である。
【００１４】
このモータ１０は、鋼板製のフレーム１２内部に、リング状のステータ１４が圧入され、このリング状のステータ１４の内周側にロータ１６が回転自在に配されている。
【００１５】
ステータ１４は、図２に示しように、リング状のバックヨーク３８から複数のＴ字状のティース４０が突出したステータコア１５に、絶縁性樹脂によってプレモールドを施すことにより絶縁層を形成し、その絶縁層の上にコイル１８を巻回している。
【００１６】
上記の構造のステータ１４を、鋼板製のカップ状のフレーム１２の内周壁に圧入し固定している。この場合に、ステータ１４からのコード４４を外部に取り出すためのブッシング２０がステータ１４の切欠部に嵌め込まれている。
【００１７】
ロータ１６は、その中心にシャフト２２が配され、そのシャフト２２の周りにＳ極とＮ極が交互に配された磁石部２３が形成されている。このロータ１６を、一対の軸受２６，２８によってフレーム１２に回転自在に保持している。
【００１８】
即ち、軸受２６は、フレーム１２の底部に形成されたブラケット部３０に嵌め込まれている。また、フレーム１２の開口部には、略円板状のカバー３２が被せられ、ロータ１６とステータ１４を収納している。この場合に、カバー３２の中央部にはシャフト２２が貫通する貫通口３４と軸受２８を固定するためのブラケット部３６が設けられている。そして、カバー３２はフレーム１２に対しネジ止めされている。
【００１９】
ステータ１４は、前記したように、リング状のバックヨーク３８の内周側から１２個のティース４０が突出した形状となっており、各ティース４０にコイル１８が巻回されている。そして、このコイル１８の上部には、シリコンゴムよりなる接着剤４２が、図３に示すように、ステータ１４の全周に渡って略リング状に塗布されている。
【００２０】
（２）モータ１０の動作状態
上記構成のモータ１０を回転させた場合にステータ１４の電磁振動が発生するが、コイル１８に弾力性のあるシリコンゴムよりなる接着剤４２が塗布されているため、モータの固有振動数とずれて、モータの固有振動数と電磁周波数の整数倍とが一致しなくなり、従来のように騒音が発生しなくなる。
【００２１】
また、この接着剤４２はモータ１０の制振効果も兼ねており、モータ１０の振動も防止することができる。
【００２２】
（３）変更例
上記実施形態では、接着剤４２としてシリコンゴムを使用したが、これに代えて弾力性のある接着剤であればシリコンゴムに限らず他の接着剤を使用してもよい。
【００２３】
また、上記実施形態ではステータ１４のコイル１８の上部のみに接着剤４２を塗布したが、図１におけるコイル１８の下方にも接着剤４２を塗布してもよい。  更に、接着剤４２をステータ１４の全周に渡って塗布したが、これに代えて、一部のコイル１８にのみ接着剤４２を塗布してもよい。
【産業上の利用可能性】
【００２４】
本発明のブラシレス鋼板モータは、ファンモータやポンプその他の駆動源として好適である。特に、防振性を有しているため制振性を必要とする駆動源として好適である。
【図面の簡単な説明】
【００２５】
【図１】本発明の一実施形態を示すモータの縦断面図である。
【図２】接着剤を塗布する前のステータの平面図である。
【図３】接着剤を塗布した後のステータの平面図である。
【符号の説明】
【００２６】
１０  モータ
１２  フレーム
１４  ステータ
１６  ロータ
１８  コイル
３２  カバー
４２  接着剤
【図１】
2005218291.tif 000003
【図２】
2005218291.tif 000004
【図３】
2005218291.tif 000005